(57)【要約】      （修正有）【課題】装着物をマスクの顔面側面の定位置に容易に配置し、マスクの脱着時に生じる装着物の外れや位置ずれを防止するインナーマスクを提供する。【解決手段】インナーマスクは、機能を発現する装着物１の左右両端上下３、４に備えた伸縮性のあるゴム紐の様な素材で作られた固定部の輪２を取り付けたもので、マスクの耳掛け紐に通すことで、装着物１をマスクの顔面側面の定位置に配置することができ、マスクを外した時に装着物１がマスクから外れることを防止する。【選択図】図１
0003233269.tif 000002
【実用新案登録請求の範囲】
【請求項１】
機能を発現する装着物に、マスクの耳掛け紐に固定可能な輪を装着物の左右両端に備えることで、装着物をマスクの顔面側面の定位置に配置でき、マスクの脱着時に生じる装着物の外れや位置ずれを防止できることを特徴とするインナーマスク。
【請求項２】
通気性があり柔らかく顔面を傷つけない素材で出来た装着物を、口全体を覆い、鼻孔に接する定位置に配置することで、マスクと口および鼻孔の間に隙間が設けられ、吸引によるマスクと口および鼻孔のくっつきを防止して呼吸を楽にできることを特徴とする請求項１に記載のインナーマスク。
【考案の詳細な説明】
【技術分野】
【０００１】
本考案は、呼吸を楽にする等の機能を発現する装着物をマスクの顔面側面の定位置に配置でき、マスクの脱着時に生じる装着物の外れや位置ずれを防止するインナーマスクに関するものである。
【背景技術】
【０００２】
マスクを顔面に直接装着すると吸引時に口や鼻孔へマスクが張り付いて息苦しくなる。息苦しさを解消するために呼吸を楽にする装着物等が多く検討されている。
【０００３】
特許文献１は、使用者の鼻及び口の周囲を覆う環状をなし、外気を通さない不通気性の材料によって形成され、可撓性を有し、上記マスク本体が顔面に装着されることによって顔面に密着される補助スペーサーを開示している。
【０００４】
特許文献２は、マスク内側即ち顔面当接面の中央部に掛着して使用されるものであって、鼻〜口の一帯をかまぼこ型ドーム状に覆う格子体と格子体の一端側に設けた掛着部とで成り、鼻・口とマスクとの接触部に非接触スキマ空間を作って呼吸をしやすくし、また呼気の熱をこもりにくくする器具を開示している。
【先行技術文献】
【特許文献】
【０００５】
【特許文献１】特開２０１５−１９９２０（Ｐ２０１５−１９９２０Ａ）
【特許文献２】実用新案登録第３２２８３０２号
【考案の概要】
【考案が解決しようとする課題】
【０００６】
解決しようとする問題点は、機能を発現させるために、装着物をマスクと顔面の間の定位置に配置することが難しい点、マスクの脱着時に装着物の外れや位置ずれが生じて煩わしい点である。
【課題を解決するための手段】
【０００７】
本考案は、装着物をマスク顔面側面の定位置に配置し、マスクの脱着時に生じる装着物の外れや位置ずれを防止するため、装着物にマスクの固定部を備えたことを特徴とするインナーマスク。
【考案の効果】
【０００８】
マスク顔面側面に装着物を定位置に容易に配置することができ、マスクを外した時に装着物がマスクから外れず、再度マスクを着けた時に、装着物を定位置に配置することができる。
【０００９】
インナーマスクの装着物をマスク顔面側面のマスク面内に収まるサイズにした場合、マスク本来のフィルター機能を発現できる。
【００１０】
インナーマスクは構造が簡易なため、装着物や固定部を安価な素材を用いることが可能で、低価格での製造が可能。
【００１１】
インナーマスクはマスクからの取り外しが可能なため、洗浄して新たなマスクに装着するリサイクルも可能である。
【００１２】
インナーマスクの装着物を通気性があり柔らかく顔面を傷つけない素材を用いて、口全体を覆い、鼻孔に接する定位置に配置した場合、マスクと口および鼻孔の間に隙間を設け、吸引によるマスクと口および鼻孔のくっつきを防止させて楽に呼吸をすることができる。
【００１３】
インナーマスクによって鼻孔からの吸引が楽になるため、今まで呼吸が苦しいためにマスクを外していた鼻をマスクで覆うことが可能になり、マスク本来のフィルター機能によって鼻からのウイルスや花粉の侵入を防ぐことができる。
【図面の簡単な説明】
【００１４】
【図１】図１は本考案のインナーマスクの正面図である。（実施例１）
【図２】図２は本考案のインナーマスクをマスク顔面側面に装着した時の図である。（実施例1）
【図３】図３は本考案のインナーマスクを装着したマスクを顔面に装着した時の側面図である。（実施例1）
【考案を実施するための形態】
【００１５】
呼吸が楽になる装着物を、簡単にマスクの顔面側の定位置に配置することができるインナーマスクを実現した。
【実施例１】
【００１６】
図１は、本校案のインナーマスクの１実施例の正面図であって、１〜６は図２、図３と同様である。また、１は装着物、２は固定部の輪である。
【００１７】
１は通気性があり柔らかく顔面を傷つけない網状の布を楕円柱状に縫製して厚みをつけた素材でできた装着物である。
【００１８】
２は装着物１の左右両端上下部３、４にゴム紐２を通して結び目５で結んだ固定部の輪である。固定部の輪２の大きさは結び目５をゴム紐端６が可動する様に結ぶことで調節可能となる。
【００１９】
図２は図１のインナーマスクをマスク７の顔面側面に配置した図であって、７〜８は図３と同様である。
【００２０】
マスク７の左右の耳掛け紐８をインナーマスクの固定部の輪２に下側から通してマスクにインナーマスクを装着した図である。耳掛け紐８をインナーマスクの固定部の輪２に上側から通しても装着可能である。
【００２１】
図３は図２のインナーマスクを装着したマスク７を顔面に装着した時の左側面の図である。
【００２２】
インナーマスクによって装着物１が口全体を覆い、鼻孔に接する位置に配置されるため、マスク７と口および鼻孔との間に隙間９、１０が設けられる。隙間９、１０によって吸引時にマスク７が口および鼻孔にくっつかず呼吸を楽にすることができる。
【００２３】
隙間９、１０によって吸引が楽になるため、マスク７で鼻の上部１１まで覆うことが可能になり、マスク７のフィルター機能で鼻からのウイルスや花粉の吸引を最小限に抑えることが可能となる。
【００２４】
マスク７を顔面から取り外した時、インナーマスクは図２の状態を保持するため、装着物１はマスク７から外れない。
【産業上の利用可能性】
【００２５】
呼吸を楽にするインナーマスクを装着したマスクは息苦しさがないため、マスクを装着した状態で行わなければならない作業の生産性を高めることができる。また、呼吸が苦しいために出していた鼻をマスクで覆うことができ、鼻からのウイルス侵入による感染リスクを低減させ、感染による経済損失を抑えることができる。
【符号の説明】
【００２６】
１    機能を発現する装着物
２    固定部の輪
３    左右両端の上部
４    左右両端の下部
５    結び目
６    輪の大きさ調節部
７    マスク
８    マスクの耳掛け紐
９    マスクと口の隙間
１０  マスクと鼻孔の隙間
１１  鼻の上部
【図１】
0003233269.tif 000003
【図２】
0003233269.tif 000004
【図３】
0003233269.tif 000005
【手続補正書】
【提出日】令和3年5月30日(2021.5.30)
【手続補正１】
【補正対象書類名】実用新案登録請求の範囲
【補正対象項目名】全文
【補正方法】変更
【補正の内容】
【実用新案登録請求の範囲】
【請求項１】
布等の装着物の左右両端に、マスクの左右それぞれの耳掛け紐を通して装着物をマスクの顔面側面の定位置に配置できる大きさの輪を取り付けた形状で、輪をマスクの耳掛け紐に通して装着物を固定することで、食事や給水時のマスクの脱着による装着物の外れや位置ずれを防止できることを特徴とするインナーマスク。
【請求項２】
通気性のある三次元立体編物や不織布を、口全体を覆い鼻孔に接する大きさに裁断した通気機能を発現する装着物の左右両端に輪を取り付け、マスクの左右それぞれの耳掛け紐をその輪に通すことで、装着物をマスクの顔面側面の口と鼻孔に接する位置に配置でき、マスクと口および鼻孔の間に隙間が設けられ、吸引によるマスクと口および鼻孔のくっつきを防止して呼吸を楽にできることを特徴とする請求項１に記載のインナーマスク。